(57)【要約】【課題】ＧＦＤＭにおいて発生し得る帯域外の周波数歪成分をより効率的に抑制する仕組みを提供する。【解決手段】ひとつ以上のサブキャリア及び複数のサブシンボルから成る単位リソースにおける時間方向の端部のサブシンボルにマッピングされた所定値のデータ、及び前記単位リソースにおける他のサブシンボルにマッピングされた送信データを対象に、所定の数のサブキャリアごとにフィルタリングを行う処理部、を備える装置。【選択図】図１０
2017085971.tif 000002
【特許請求の範囲】
【請求項１】
ひとつ以上のサブキャリア及び複数のサブシンボルから成る単位リソースにおける時間方向の端部のサブシンボルにマッピングされた所定値のデータ、及び前記単位リソースにおける他のサブシンボルにマッピングされた送信データを対象に、所定の数のサブキャリアごとにフィルタリングを行う処理部、
を備える装置。
【請求項２】
前記端部のサブシンボルは、前記単位リソースの時間方向の両端のサブシンボルである、請求項１に記載の装置。
【請求項３】
前記処理部は、前記単位リソースにマッピングされる前記所定値のデータのデータ長及び前記送信データのデータ長を制御する、請求項１に記載の装置。
【請求項４】
前記処理部は、前記所定値のデータのデータ長を、前記単位リソースのサブキャリア数と等しい長さに設定する、請求項３に記載の装置。
【請求項５】
前記処理部は、前記送信データに前記所定値のデータを挿入して、前記単位リソースにマッピングする、請求項１に記載の装置。
【請求項６】
前記処理部は、前記単位リソースに対応するデータ長のバッファを前記所定値で初期化後に前記送信データを配置し、前記バッファから前記単位リソースにマッピングする、請求項１に記載の装置。
【請求項７】
前記所定値は、ゼロである、請求項１に記載の装置。
【請求項８】
前記フィルタリングには、ＲＣ（Raised  Cosine）フィルタ、ＲＲＣ（Root  Raised  Cosine）フィルタ、又はＩＯＴＡ（Isotropic  Orthogonal  Transfer  Algorithm）フィルタが用いられる、請求項１に記載の装置。
【請求項９】
前記フィルタリングは、一般化されたＯＦＤＭ（Orthogonal  Frequency  Division  Multiplexing）のための処理である、請求項１に記載の装置。
【請求項１０】
所定の数のサブキャリアごとにフィルタリングされた信号における、ひとつ以上のサブキャリア及び複数のサブシンボルから成る単位リソースにおける時間方向の端部のサブシンボルにマッピングされた所定値のデータ、及び前記単位リソースにおける他のサブシンボルにマッピングされた送信データから前記送信データを取得する処理部、
を備える装置。
【請求項１１】
ひとつ以上のサブキャリア及び複数のサブシンボルから成る単位リソースにおける時間方向の端部のサブシンボルにマッピングされた所定値のデータ、及び前記単位リソースにおける他のサブシンボルにマッピングされた送信データを対象に、所定の数のサブキャリアごとにプロセッサによりフィルタリングを行うこと、
を含む方法。
【請求項１２】
コンピュータを、
ひとつ以上のサブキャリア及び複数のサブシンボルから成る単位リソースにおける時間方向の端部のサブシンボルにマッピングされた所定値のデータ、及び前記単位リソースにおける他のサブシンボルにマッピングされた送信データを対象に、所定の数のサブキャリアごとにフィルタリングを行う処理部、
として機能させるためのプログラム。
【発明の詳細な説明】
【技術分野】
【０００１】
本開示は、装置、方法及びプログラムに関する。
【背景技術】
【０００２】
近年、マルチキャリア変調技術（即ち、多重技術又はマルチアクセス技術）の代表として、ＯＦＤＭ（Orthogonal  Frequency  Division  Multiplexing：直交周波数分割多重)、及びＯＦＤＭＡ（Orthogonal  Frequency  Division  Multiple  Access：直交周波数分割多元接続)が、多様な無線システムで実用化されている。実用例としては、ディジタル放送、無線ＬＡＮ、及びセルラーシステムが挙げられる。ＯＦＤＭは、マルチパス伝搬路に対する耐性があり、ＣＰ（Cyclic  Prefix：サイクリックプリフィックス）を採用することで、マルチパス遅延波に起因するシンボル間干渉の発生を回避することが可能である。一方で、ＯＦＤＭの欠点として、帯域外輻射のレベルが大きい点が挙げられる。また、ＰＡＰＲ（Peak-to-Average  Power  Ratio：ピーク対平均電力比）が高くなる傾向があり、送受信装置で発生する歪に弱いことも、欠点として挙げられる。【０００３】
このようなＯＦＤＭの欠点である帯域外輻射を抑制可能な、新たな変調技術が登場している。本変調技術は、サブシンボルという新たな概念を導入し、１シンボルを任意の個数のサブシンボルに分割することで、柔軟なシンボルの時間及び周波数の設計を行うことが可能である。また、本変調技術は、シンボルに対しパルス整形フィルタ（Pulse  Shape  Filter）を適用して波形整形することによって、帯域外の不要信号の輻射を低減することができ、周波数利用効率の向上が期待される。【０００４】
本変調技術の呼び名については、ＵＦ−ＯＦＤＭ（Universal  Filtered-OFDM）、ＵＦＭＣ（Universal  Filtered  Multi-Carrier）、ＦＢＭＣ（Filter  Bank  Multi-Carrier）、ＧＯＦＤＭ（Generalized  OFDM）など、多様に存在する。とりわけ、本変調技術は、一般化されたＯＦＤＭであるとも言えることから、ＧＦＤＭ（Generalized  Frequency  Division  Multiplexing）とも称される場合があり、本明細書ではこの名称を採用する。ＧＦＤＭに関する基本的な技術については、例えば下記特許文献１及び非特許文献１に開示されている。
【先行技術文献】
【特許文献】
【０００５】
【特許文献１】米国特許出願公開第２０１０／０１８９１３２号明細書
【非特許文献】
【０００６】
【非特許文献１】Ｎ．  Ｍｉｃｈａｉｌｏｗ，  ｅｔ  ａｌ．，  “Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ  ｆｏｒ  ５ｔｈ  Ｇｅｎｅｒａｔｉｏｎ  Ｃｅｌｌｕｌａｒ  Ｎｅｔｗｏｒｋｓ，”  ＩＥＥＥ  Ｔｒａｎｓ．  Ｃｏｍｍｕｎ．，  ｖｏｌ．６２，  ｎｏ．９，  Ｓｅｐｔ．  ２０１４．
【発明の概要】
【発明が解決しようとする課題】
【０００７】
しかし、ＧＦＤＭにおいては、シンボル間での振幅の不連続性により、望ましくないスペクトラム成分（例えば、帯域外の周波数歪成分）が発生する場合がある。その対策として、例えばＯＦＤＭで行われてきたＣＰの付加及び時間窓処理を行うことも考えられるものの、その場合に周波数利用効率の低下又はノイズの増加等が生じる場合があった。【０００８】
そのため、ＧＦＤＭにおいて発生し得る帯域外の周波数歪成分をより効率的に抑制する仕組みが提供されることが望ましい。
【課題を解決するための手段】
【０００９】
本開示によれば、ひとつ以上のサブキャリア及び複数のサブシンボルから成る単位リソースにおける時間方向の端部のサブシンボルにマッピングされた所定値のデータ、及び前記単位リソースにおける他のサブシンボルにマッピングされた送信データを対象に、所定の数のサブキャリアごとにフィルタリングを行う処理部、を備える装置が提供される。【００１０】
また、本開示によれば、所定の数のサブキャリアごとにフィルタリングされた信号における、ひとつ以上のサブキャリア及び複数のサブシンボルから成る単位リソースにおける時間方向の端部のサブシンボルにマッピングされた所定値のデータ、及び前記単位リソースにおける他のサブシンボルにマッピングされた送信データから前記送信データを取得する処理部、を備える装置が提供される。【００１１】
また、本開示によれば、ひとつ以上のサブキャリア及び複数のサブシンボルから成る単位リソースにおける時間方向の端部のサブシンボルにマッピングされた所定値のデータ、及び前記単位リソースにおける他のサブシンボルにマッピングされた送信データを対象に、所定の数のサブキャリアごとにプロセッサによりフィルタリングを行うこと、を含む方法が提供される。【００１２】
また、本開示によれば、コンピュータを、ひとつ以上のサブキャリア及び複数のサブシンボルから成る単位リソースにおける時間方向の端部のサブシンボルにマッピングされた所定値のデータ、及び前記単位リソースにおける他のサブシンボルにマッピングされた送信データを対象に、所定の数のサブキャリアごとにフィルタリングを行う処理部、として機能させるためのプログラムが提供される。
【発明の効果】
【００１３】
以上説明したように本開示によれば、ＧＦＤＭにおいて発生し得る帯域外の周波数歪成分をより効率的に抑制する仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】ＧＦＤＭに関する技術を説明するための説明図である。
【図２】ＧＦＤＭに関する技術を説明するための説明図である。
【図３】ＧＦＤＭに関する技術を説明するための説明図である。
【図４】ＧＦＤＭに関する技術を説明するための説明図である。
【図５】本開示の一実施形態の技術的課題を説明するための説明図である。
【図６】同実施形態に係るシステムの概略的な構成の一例を示す説明図である。
【図７】同実施形態に係る基地局の構成の一例を示すブロック図である。
【図８】同実施形態に係る端末装置の構成の一例を示すブロック図である。
【図９】同実施形態の技術的特徴を説明するための説明図である。
【図１０】同実施形態の技術的特徴を説明するための説明図である。
【図１１】同実施形態の技術的特徴を説明するための説明図である。
【図１２】同実施形態の技術的特徴を説明するための説明図である。
【図１３】同実施形態の技術的特徴を説明するための説明図である。
【図１４】同実施形態の技術的特徴を説明するための説明図である。
【図１５】同実施形態の技術的特徴を説明するための説明図である。
【図１６】同実施形態に係る基地局において実行される送信処理の流れの一例を示すフローチャートである。
【図１７】同実施形態に係る端末装置において実行される受信処理の流れの一例を示すフローチャートである。
【図１８】ｅＮＢの概略的な構成の第１の例を示すブロック図である。
【図１９】ｅＮＢの概略的な構成の第２の例を示すブロック図である。
【図２０】スマートフォンの概略的な構成の一例を示すブロック図である。
【図２１】カーナビゲーション装置の概略的な構成の一例を示すブロック図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置２００Ａ、２００Ｂ及び２００Ｃのように区別する。ただし、実質的に同一の機能構成を有する複数の要素の各々を特に区別する必要がない場合、同一符号のみを付する。例えば、端末装置２００Ａ、２００Ｂ及び２００Ｃを特に区別する必要が無い場合には、単に端末装置２００と称する。
【００１７】
なお、説明は以下の順序で行うものとする。
１．はじめに
１．１．ＧＦＤＭ
１．２．技術的課題
２．システムの概略的な構成
３．各装置の構成
３．１．基地局の構成
３．２．端末装置の構成
４．技術的特徴
５．応用例
６．まとめ
【００１８】
＜＜１．はじめに＞＞
＜１．１．ＧＦＤＭ＞
まず、図１〜図４を参照して、ＧＦＤＭについて説明する。
【００１９】
図１は、ＧＦＤＭにおけるシンボルの概念を説明するための説明図である。符号１０は、ＯＦＤＭの１シンボル当たりの無線リソースを示している。符号１０に示した無線リソースは、１シンボル区間が単一のシンボルで占有されている一方で、周波数方向に多数のサブキャリアを含む。また、ＯＦＤＭでは、シンボル毎にＣＰが付加される。符号１２は、ＳＣ−ＦＤＭ（Single  Carrier  Frequency  Division  Multiplexing）信号における、ＯＦＤＭの１シンボルに相当する区間の無線リソースを示している。符号１２に示した無線リソースは、キャリア周波数に渡って単一のシンボルで専有されている一方で、シンボル長はＯＦＤＭと比較して短く、時間方向に多数のシンボルを含む。符号１１は、ＧＦＤＭにおける、ＯＦＤＭの１シンボルに相当する区間の無線リソースを示している。符号１１に示した無線リソースは、符号１０に示した無線リソースと符号１２に示した無線リソースとの中間の構造を有する。すなわち、ＧＦＤＭでは、ＯＦＤＭの１シンボルに相当する区間が任意の数のサブシンボルに分割され、それに伴いサブキャリア数がＯＦＤＭよりも少なくなる。このような無線リソースの構造は、パラメータによるシンボル長の変更を可能とし、より柔軟性に富んだ送信フォーマットを提供可能である。
【００２０】
図２は、ＧＦＤＭをサポートする送信装置の構成例の一例を示す図である。まず、データが入力されると、送信装置は、可変に設定されたサブキャリア数及びサブシンボル数に対応するフィルタリングを適用するために、入力データのマッピングを行う。なお、ここでのサブシンボルに対するマッピングは、ＯＦＤＭに比べて、オーバーサンプリングを施すことと等価の効果を有する。次いで、送信装置は、所定数のサブキャリア及び所定数のサブシンボルに対してパルス整形フィルタを適用する（より具体的には、所定のフィルタリング係数を乗じる）。そして、送信装置は、パルス整形後の波形を周波数−時間変換してシンボルを生成する。最後に、送信装置は、ＣＰを追加し、ＤＡＣ（Digital  to  Analog  Converter）を適用してＲＦ（Radio  Frequency）信号を高周波回路へ出力する。
【００２１】
ここで、ＧＦＤＭ変調は次式により表現される。
【００２２】
【数１】
2017085971.tif 000003
【００２３】
【数２】
2017085971.tif 000004
【００２４】
ただし、Ｋはサブキャリア数であり、Ｍはサブシンボル数であり、ｄｋ，ｍ、はｋ番目のサブキャリアのｍ番目のサブシンボルに対応する入力データであり、ｘ［ｎ］はＮ＝ＫＭ個の出力データのｎ番目の値であり、ｇｋ，ｍ［ｎ］はフィルタの係数である。
【００２５】
ＧＦＤＭシンボルのｎ番目の出力サンプル値ｘ［ｎ］は、マッピングされた入力データに対応するＧＦＤＭ係数をそれぞれ掛け合わせたのち、それらすべての和をとったものである。ｎが０からＮまで変化するとき、フィルタ係数は上記数式（２）に従って変化し、１シンボルあたり合計Ｎ個のサンプル値が得られる。この結果、サブシンボルに対してＫ倍にオーバーサンプリングされた時間波形のサンプル値が生成される。この場合、Ｍ個のサブシンボルに対してＫ倍、すなわちＫＭ＝Ｎ個の出力値が得られる。送信装置は、このようにして得られたＧＦＤＭシンボルをＤ／Ａ変換し、高周波回路により所望の増幅及び周波数変換を施した後、アンテナから送信する。
【００２６】
なお、パルス整形フィルタとしては、例えば、ＲＣフィルタ（Raised  Cosine  Filter)、ＲＲＣフィルタ（Root  Raised  Cosine  Filter)又はＩＯＴＡフィルタ（Isotropic  Orthogonal  Transfer  Algorithm  filter）等が採用され得る。
【００２７】
上記定式化したＧＦＤＭ変調における、入力データ（ベクトル）と出力データ（ベクトル）との関係を、次式のように行列Ａで表す。
【００２８】
【数３】
2017085971.tif 000005
【００２９】
この変換行列Ａは、サイズがＫＭ×ＫＭの、複素数の要素を持つ正方行列である。図３に、変換行列Ａの要素（即ち、フィルタ係数）の振幅値（絶対値）をプロットした図を示す。本図は、Ｋ＝４とし、Ｍ＝７とし、波形整形のプロトタイプフィルタとしてＲＣフィルタ（α＝０．４）を採用した場合を示している。
【００３０】
このような、ＧＦＤＭ変調により送信信号が生成されると、その送信信号は図４に示したような構造を有することとなる。図４は、１つの単位リソースにおける信号の振幅値を示している。ここで、ＧＦＤＭにおける単位リソースの時間単位を、ＧＦＤＭシンボルとも称する。ＧＦＤＭシンボルは、１つ以上のサブシンボルを含む。また、ＧＦＤＭにおける単位リソースの周波数単位を、リソースブロックとも称する。リソースブロックは、１つ以上のサブキャリアを含む。なお、図４に示した例では、単位リソースは、４つのサブキャリア及び７つのサブシンボルに分割されている。
【００３１】
＜１．２．技術的課題＞
ＧＦＤＭシンボルをアナログ信号に変換して任意のデータを連続して送信する場合、シンボル間での振幅の不連続性により、帯域外の周波数歪成分の発生が懸念される。より詳しくは、図４を参照すると、Ｍ＝０に相当する単位リソースは、時間的に分割されシンボルの両端に存在し、時間方向で隣接するシンボルの単位リソースのＭ＝０の信号と不連続な波形を生成することから、帯域外の周波数歪成分の発生が懸念される。このような問題を回避するために、単位リソースの信号に、ＧＦＤＭ特有のＣＰを付加することが考案されている。
【００３２】
以下、図５を参照して、ＧＦＤＭの単位リソースの信号の生成方法の一例を説明する。符号２０〜符号２３は、各生成方法により生成された単位リソースの信号を示しており、それぞれ横軸は時間であり縦軸は振幅値である。
【００３３】
比較例として、符号２０に、ＯＦＤＭシンボルを示した。ＯＦＤＭシンボルには、良好な受信特性を確保するために、伝搬路のマルチパス特性に応じた十分な長さのＣＰが付加されている。
【００３４】
これに対し、上記特許文献１及び非特許文献１では、符号２１〜符号２３に示すＧＦＤＭシンボルが提案されている。符号２１に示すように、ＧＦＤＭシンボルにはパルス整形フィルタのフィルタ長に対応する長さのＣＰが付加されていればよいため、ＯＦＤＭと比較してＣＰの長さが短くなる、という利点がある。符号２２に示すように、ＣＰ付加後のＧＦＤＭシンボルに窓関数を掛けることで、シンボル間のつなぎ目における振幅を抑制し、スペクトラム特性を改善する方法も提案されている。ただし、この場合は、もとのシンボル長よりも（即ち、符号２１よりも）送信信号長が長くなる。そこで、符号２３に示すように、窓関数を掛けたＧＦＤＭシンボルに終端処理を行うことで、送信信号長を短縮する方法も提案されている。
【００３５】
しかしながら、符号２３に示したＧＦＤＭシンボルであっても、依然としてＣＰを使用することに起因する周波数利用効率の低下は起きる。さらに、終端処理によってノイズ成分が加算され、Ｓ／Ｎ（signal-to-noise  ratio）の劣化も懸念される。
【００３６】
＜＜２．システムの概略的な構成＞＞
続いて、図６を参照して、本開示の一実施形態に係るシステム１の概略的な構成を説明する。図６は、本開示の一実施形態に係るシステム１の概略的な構成の一例を示す説明図である。図６を参照すると、システム１は、基地局１００及び端末装置２００を含む。ここでは、端末装置２００は、ユーザとも呼ばれる。当該ユーザは、ユーザ機器（User  Equipment：ＵＥ）とも呼ばれ得る。ここでのＵＥは、ＬＴＥ又はＬＴＥ−Ａにおいて定義されているＵＥであってもよく、より一般的に通信機器を意味してもよい。
【００３７】
（１）基地局１００
基地局１００は、セルラーシステム（又は移動体通信システム）の基地局である。基地局１００は、基地局１００のセル１０１内に位置する端末装置（例えば、端末装置２００）との無線通信を行う。例えば、基地局１００は、端末装置へのダウンリンク信号を送信し、端末装置からのアップリンク信号を受信する。
【００３８】
（２）端末装置２００
端末装置２００は、セルラーシステム（又は移動体通信システム）において通信可能である。端末装置２００は、セルラーシステムの基地局（例えば、基地局１００）との無線通信を行う。例えば、端末装置２００は、基地局からのダウンリンク信号を受信し、基地局へのアップリンク信号を送信する。
【００３９】
（３）多重化／多元接続
とりわけ本開示の一実施形態では、基地局１００は、直交多元接続／非直交多元接続により、複数の端末装置との無線通信を行う。より具体的には、基地局１００は、ＧＦＤＭを用いた多重化／多元接続により、複数の端末装置２００との無線通信を行う。
【００４０】
例えば、基地局１００は、ダウンリンクにおいて、ＧＦＤＭを用いた多重化／多元接続により、複数の端末装置２００との無線通信を行う。より具体的には、例えば、基地局１００は、複数の端末装置２００への信号を、ＧＦＤＭを用いて多重化する。この場合に、例えば、端末装置２００は、所望信号（即ち、端末装置２００への信号）を含む多重化信号から、干渉として１つ以上の他の信号を除去し、上記所望信号を復号する。
【００４１】
なお、基地局１００は、ダウンリンクの代わりに、又はダウンリンクとともに、アップリンクにおいて、ＧＦＤＭを用いた多重化／多元接続により、複数の端末装置との無線通信を行ってもよい。この場合に、基地局１００は、当該複数の端末装置により送信される信号を含む多重化信号から、当該信号の各々を復号してもよい。
【００４２】
（４）補足
本技術は、ＨｅｔＮｅｔ（Heterogeneous  Network）又はＳＣＥ（Small  Cell  Enhancement）などのマルチセルシステムにおいても適用可能である。また、本技術は、ＭＴＣ装置及びＩｏＴ装置等に関しても適用可能である。
【００４３】
＜＜３．各装置の構成＞＞
続いて、図７及び図８を参照して、本開示の実施形態に係る基地局１００及び端末装置２００の構成を説明する。
【００４４】
＜３．１．基地局の構成＞
まず、図７を参照して、本開示の一実施形態に係る基地局１００の構成の一例を説明する。図７は、本開示の一実施形態に係る基地局１００の構成の一例を示すブロック図である。図７を参照すると、基地局１００は、アンテナ部１１０、無線通信部１２０、ネットワーク通信部１３０、記憶部１４０及び処理部１５０を備える。
【００４５】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００４６】
（２）無線通信部１２０
無線通信部１２０は、信号を送受信する。例えば、無線通信部１２０は、端末装置へのダウンリンク信号を送信し、端末装置からのアップリンク信号を受信する。
【００４７】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００４８】
（４）記憶部１４０
記憶部１４０は、基地局１００の動作のためのプログラム及び様々なデータを一時的に又は恒久的に記憶する。
【００４９】
（５）処理部１５０
処理部１５０は、基地局１００の様々な機能を提供する。処理部１５０は、送信処理部１５１及びバッファ制御部１５３を含む。なお、処理部１５０は、これらの構成要素以外の他の構成要素をさらに含み得る。即ち、処理部１５０は、これらの構成要素の動作以外の動作も行い得る。
【００５０】
送信処理部１５１及びバッファ制御部１５３の動作は、後に詳細に説明する。
【００５１】
＜３．２．端末装置の構成＞
まず、図８を参照して、本開示の一実施形態に係る端末装置２００の構成の一例を説明する。図８は、本開示の一実施形態に係る端末装置２００の構成の一例を示すブロック図である。図８を参照すると、端末装置２００は、アンテナ部２１０、無線通信部２２０、記憶部２３０及び処理部２４０を備える。
【００５２】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００５３】
（２）無線通信部２２０
無線通信部２２０は、信号を送受信する。例えば、無線通信部２２０は、基地局からのダウンリンク信号を受信し、基地局へのアップリンク信号を送信する。
【００５４】
（３）記憶部２３０
記憶部２３０は、端末装置２００の動作のためのプログラム及び様々なデータを一時的に又は恒久的に記憶する。
【００５５】
（４）処理部２４０
処理部２４０は、端末装置２００の様々な機能を提供する。処理部２４０は、受信処理部２４１及びデータ取得部２４３を含む。なお、処理部２４０は、この構成要素以外の他の構成要素をさらに含み得る。即ち、処理部２４０は、この構成要素の動作以外の動作も行い得る。
【００５６】
受信処理部２４１及びデータ取得部２４３の動作は、後に詳細に説明する。
【００５７】
＜＜４．技術的特徴＞＞
以下では、基地局１００が送信装置であり、端末装置２００が受信装置であるものとして、本実施形態の技術的特徴を説明する。
【００５８】
（１）所定値のデータのマッピング
基地局１００（例えば、送信処理部１５１）は、ひとつ以上のサブキャリア及び複数のサブシンボルから成る単位リソースにおける時間方向の端部のサブシンボルに所定値のデータをマッピングする。また、基地局１００（例えば、送信処理部１５１）は、当該単位リソースにおける他のサブシンボルに送信データ（例えば、ユーザデータ）をマッピングする。これらのマッピングにより、送信データをマッピングする対象の単位リソースと時間方向で隣接する他の単位リソースと重複し得る端部に、所定値のデータがマッピングされることとなる。そして、基地局１００（例えば、送信処理部１５１）は、単位リソースにマッピングされたこれらのデータを対象に、ＧＦＤＭ変調を行う。具体的には、基地局１００は、ＧＦＤＭのための処理として、所定の数のサブキャリアごとにフィルタリングを実施する（即ち、パルス整形フィルタを適用する）。所定値のデータのマッピングにより、ＧＦＤＭシンボル間での振幅の不連続性が抑制されるので、ＧＦＤＭ変調において発生していた望ましくないスペクトラム成分の抑制が可能となる。なお、ＧＦＤＭ変調に関しては、上記説明した通りであるので、ここでの詳細な説明は省略する。
【００５９】
端部のサブシンボルとは、単位リソースの時間方向の先頭のサブシンボルであってもよい。もちろん、端部のサブシンボルとは、単位リソースの時間方向の末尾のサブシンボルであってもよい。また、その端部のサブシンボルが、これらの両方を意味していてもよい。ただし、図３に示したような、対角成分に振幅値のピークが立つ変換行列の特性を考慮すれば、端部のサブシンボルが単位リソースの時間方向の両端のサブシンボルであることが望ましい。
【００６０】
端部のサブシンボルにマッピングされる所定値のデータとは、全てが同じ値のデータである。例えば、この所定値はゼロであってもよい。即ち、端部のサブシンボルでは、全てのサブキャリアにゼロがマッピングされてもよい。この場合、ＧＦＤＭシンボル間での振幅の不連続性が、より抑制され得る。
【００６１】
基地局１００（例えば、バッファ制御部１５３）は、単位リソースにマッピングされる所定値のデータのデータ長及び送信データのデータ長を制御してもよい。即ち、基地局１００は、単位リソースにおける所定値のデータと送信データとの割合を可変に設定可能である。とりわけ、基地局１００（例えば、バッファ制御部１５３）は、所定値のデータのデータ長を単位リソースのサブキャリア数と等しい長さに設定してもよい。即ち、先頭のサブシンボルにのみ所定値のデータがマッピングされてもよい。この場合、シンボル当たりに占める送信データの情報量の低下を最も抑制することが可能である。
【００６２】
以下では、図９及び図１０を参照して、所定値がゼロであり、先頭のサブシンボルにのみゼロがマッピングされる例を説明する。
【００６３】
図９は、上記数式（３）の演算の様子を模式的に示した図である。詳しくは、符号３０は変換行列Ａを示し、符号３１は入力データｄを示し、符号３２は出力データｘを示している。図中のハッチング部分は振幅が大きい部分であり、ハッチングが濃くなるほど振幅が大きいことを意味している。符号３３は、フィルタ係数のピーク部分である。また、符号３４は入力データのうちゼロがマッピングされる部分である。符号３２に示すように、出力データの両端（即ち、時間方向の両端）の振幅は小さくなっている（例えば、ゼロ）ことが分かる。このため、シンボル間の振幅の非連続性に起因する帯域外の周波数歪成分が抑制可能である。このことは、帯域外の周波数歪成分を抑制するための窓関数フィルタの適用を回避することを可能にし、又は極めて軽微な窓関数の使用に留めることを可能にする。
【００６４】
図１０は、このようにして生成された送信信号の構造、より詳しくは１つの単位リソースにおける送信信号の振幅値を示す図である。図１０を参照すると、図４と比較して、Ｍ＝０のサブシンボル部分では振幅がゼロであることが分かる。このため、Ｍ＝６の信号が、時間方向で隣接する他の単位リソースのＭ＝０の信号と重複しないこととなり（より正確には、振幅がゼロの信号と重複することとなり）、シンボル間の振幅の非連続性に起因する帯域外の周波数歪成分が抑制される。
【００６５】
一方で、端末装置２００（例えば、受信処理部２４１）は、ＧＦＤＭ変調された信号を受信する。そして、端末装置２００（例えば、データ取得部２４３）は、単位リソースの時間方向の端部のサブシンボルにマッピングされた所定値のデータ、及び当該単位リソースの他のサブシンボルにマッピングされた受信データ（例えば、ユーザデータ）から、受信データを取得する。これにより、端末装置２００は、ＧＦＤＭシンボル間での振幅の不連続性を抑制するために付加された所定値のデータを除外して、基地局１００から送信されたユーザデータを取得することが可能となる。
【００６６】
（２）性能評価
上述した所定値のデータのマッピングが行われる場合、シンボル当たりに占める送信データの情報量の低下を招くこととなる。従って、ある程度の周波数利用効率の低下をも招くこととなる。例えば、図１０に示す例では、７つのサブシンボルのうち６つのサブシンボルに送信データがマッピングされるので、データの転送効率としては約１４％のロスが生じる計算となる。しかしながら、送信データが時間的に又は周波数的に局所化される場合、ＣＰが付加されずとも、ある程度のマルチパスに対する優れた耐性が発揮されることが知られている。例えば、「
2017085971.tif 000006
」には、送信データが時間的に又は周波数的に局所化された信号が、伝送時の時間的及び周波数的な信号成分の分散に対する耐性を有することが記載されている。
【００６７】
つまり、このような耐性が許す範囲であれば、ＣＰを適宜省くことが可能となる。そして、ＣＰを省くことで、所定値のデータのマッピングを行うことに起因する周波数利用効率の低下を緩和することが可能となる。
【００６８】
例えば、７つのサブシンボルにマッピングされた送信データに対し、１つのサブシンボル分の時間長のＣＰが付加される場合を想定する。この場合、８つのサブシンボルのうち７つのサブシンボルに送信データがマッピングされるので、データの転送効率としては約１２％のロスが生じる計算となる。従って、所定値のデータのマッピングを行った上でＣＰの付加を省略する技術は、所定値のデータのマッピングを行わずにＣＰを付加する技術と比較して、周波数利用効率が約２％低下するに過ぎない。さらに、サブシンボル数が大きい場合、これらの差はより小さくなる。
【００６９】
７つのサブシンボルにマッピングされた送信データに対し、前後にプレフィックス及びサフィックス（ＣＳ：cyclic  suffix）の両方が付加される場合も想定される。この場合、９つのサブシンボルのうち７つのサブシンボルに送信データがマッピングされるので、データの転送効率としては約２２％のロスとなる。従って、所定値のデータのマッピングを行った上でＣＰの付加を省略する技術は、所定値のデータのマッピングを行わずにＣＰ及びＣＳを付加する技術と比較して、周波数利用効率が改善する。
【００７０】
以上のことから、所定値のデータのマッピングを行った上でＣＰの付加を省略する技術は、所定値のデータのマッピングを行わずにＣＰを付加する技術と比較して、同等程度の性能又は性能の改善が見込まれる。さらに、所定値のデータのマッピングを行った上でＣＰの付加を省略する技術は、図５の符号２３に示したような、サフィックス部分をプレフィックスに重畳する方法で生じる、ノイズの増加などによる劣化を回避することが出来る。
【００７１】
以上説明したように、本実施形態に係るＧＦＤＭシンボルの生成方法は、比較的マルチパスの大きくない通信環境においては、良好な性能を示すことが想定される。例えば、今後、セルラー通信においても活用が期待されるミリ波などは、直接波が支配的だと考えられる通信であり、本手法の適用が有効だと考えられる例のひとつである。
【００７２】
（３）送信処理
上述した、所定値のデータのマッピングは多様な方法により実現され得る。以下、マッピング方法の一例を説明する。
【００７３】
・第１の例
まず、図１１及び図１２を参照して、第１の例を説明する。
【００７４】
図１１は、第１のマッピング方法を実行するための送信装置の構成例を示すブロック図である。送信装置は、インプットデータに対し、ＦＥＣ（Forward  Error  Correction）符号化、レートマッチング、スクランブリング、インタリービング及びビット列からシンボル（例えば、複素シンボルであってもよく、信号点とも称され得る）へのマッピング（Constellation  Mapping）を行う。生成された複素データは、インプットバッファによりバッファリングされる。そして、送信装置は、バッファから供給される送信データに所定値のデータ（本例ではゼロデータ）を挿入して、単位リソースにマッピングする。詳しくは、送信装置は、Ｋ個のゼロデータを挿入して単位リソースの先頭のサブシンボルにマッピングすると共に、インプットバッファから供給されるＮ−Ｋ個のデータを当該単位リソースにおけるその他の領域にマッピングする。その際、インプットコントローラは、挿入するゼロデータの個数Ｋ及びインプットバッファから供給する送信データの個数Ｎ−Ｋを調整する。ここで、単位リソースへの送信データ及びゼロデータのマッピング例を、より詳しく図１２に示した。図１２に示すように、Ｎ−Ｋ個の送信データにＫ個のゼロデータが挿入されたＮ個のデータが、Ｍ個のサブシンボル及びＫ個のサブキャリアから成る単位リソースにマッピングされている。例えば、Ｋ個のゼロデータは、ｄ０〜ｄＫ−１にマッピングされ、Ｎ−Ｋ個の送信データは、ｄＫ〜ｄＮ−１にマッピングされる。マッピング後、送信装置は、パルス整形フィルタを適用し、ＤＡＣを適用して、アナログＦＥ（Front  End）による信号処理を行って、アンテナから無線信号を送信する。
【００７５】
このような構成により、パルス整形後のＧＦＤＭシンボル間での振幅の不連続性が抑制され、帯域外の周波数歪成分を抑制することが可能となる。さらに、帯域外の周波数歪成分を抑制するために用いられてきたＣＰの付加を省略することが可能となる。
【００７６】
なお、インプットコントローラ及びゼロ挿入機能はバッファ制御部１５３に相当してもよく、アナログＦＥは無線通信部１２０に相当してもよく、アンテナはアンテナ部１１０に相当してもよく、その他の構成要素は送信処理部１５１に相当してもよい。もちろん、その他の任意の対応関係も許容される。
【００７７】
・第２の例
続いて、図１３を参照して、第２の例を説明する。
【００７８】
図１３は、第２のマッピング方法を実行するための送信装置の構成例を示すブロック図である。送信装置は、インプットデータに対し、ＦＥＣ符号化、レートマッチング、スクランブリング、インタリービング及びビット列からシンボルへのマッピングを行う。生成された複素データは、インプットバッファによりバッファリングされる。そして、送信装置は、単位リソースに対応するデータ長のバッファを所定値（本例ではゼロデータ）で初期化（Initialization）後に送信データを配置し、バッファから単位リソースにマッピングする。詳しくは、送信装置は、Ｎ個のデータをバッファリング可能なバッファをゼロで初期化し、その後Ｎ−Ｋ個の送信データをバッファに書き込む。これにより、バッファのうち送信データが書き込まれていないＫ個分のデータは初期値のゼロのままとなる。そして、送信装置は、初期値のゼロデータを単位リソースの先頭のサブシンボルにマッピングし、その後送信データを当該単位リソースにおけるその他の領域にマッピングする。これにより、本例においても、第１の例と同様のマッピングが実現される。マッピング後、送信装置は、パルス整形フィルタを適用し、ＤＡＣを適用して、アナログＦＥによる信号処理を行って、アンテナから無線信号を送信する。
【００７９】
このような構成により、本例は第１の例と同様の効果を奏することが可能となる。
【００８０】
なお、初期化機能はバッファ制御部１５３に相当してもよく、アナログＦＥは無線通信部１２０に相当してもよく、アンテナはアンテナ部１１０に相当してもよく、その他の構成要素は送信処理部１５１に相当してもよい。もちろん、その他の任意の対応関係も許容される。
【００８１】
以上、マッピング方法の一例を説明した。続いて、ＭＩＭＯの場合の送信処理について説明する。
【００８２】
・ＭＩＭＯ（multiple-input  and  multiple-output）の場合
続いて、図１４を参照して、ＭＩＭＯの場合の送信処理について説明する。
【００８３】
図１４は、ＭＩＭＯの場合の送信装置の構成例を示すブロック図である。図１４に示すように、送信装置は、多重する送信データごとに、ＦＥＣ符号化、レートマッチング、スクランブリング、インタリービング及びビット列からシンボルへのマッピングを行う。次いで、送信装置は、送信レイヤマッピングにより多重化して、多重化信号ごとにプリコーディングを行う。この後の処理は、多重化信号ごとに行われる。送信装置は、上記第１又は第２のマッピング方法によりデータマッピングを行う。即ち、送信装置は、インプットコントローラによりインプットバッファから供給されるＮ−Ｋ個の送信データにＫ個ゼロデータを挿入し、又はＮ個のインプットバッファをゼロで初期化してＮ−Ｋ個の送信データをバッファリングし、単位リソースへマッピングする。マッピング後、送信装置は、パルス整形フィルタを適用し、ＤＡＣを適用して、アナログＦＥによる信号処理を行って、アンテナから無線信号を送信する。
【００８４】
（４）受信処理
続いて、図１５を参照して、受信処理について説明する。ここでは、一例としてＭＩＭＯの場合の受信処理について説明する。
【００８５】
図１５は、受信装置の構成例を示すブロック図である。受信装置は、アンテナにより受信された信号に対し、アナログＦＥによる信号処理、ＡＤＣ（Analog  to  Digital  Converter）によりＡ／Ｄ変換し、ＧＦＤＭ復調を行う。ＧＦＤＭ復調器においては、受信装置は、受信したシンボルｘ［０］〜ｘ［Ｎ−１］から、元のデータｄ［０］〜ｄ［Ｎ−１］を取り出す。このためには、ＧＦＤＭ復調器は、送信に用いられたＧＦＤＭの変換行列Ａに対する整合フィルタ受信となるＡの共役転置行列ＡＨを乗じる回路、ゼロフォース受信となる逆行列Ａ−１を掛け合わせる回路、あるいは、ＭＭＳＥ（Minimum  Mean  Square  Error）受信回路などであってもよい。その後、受信装置は、ＭＩＭＯ等化、送信レイヤのデマッピングを行う。その後、受信装置は、受信データごとにデインタリービング、デスクランブリング、レートマッチング及びＦＥＣ復号化を行い、データを出力する。
【００８６】
なお、ＧＦＤＭ復調器はデータ取得部２４３に相当してもよく、アナログＦＥは無線通信部２２０に相当してもよく、アンテナはアンテナ部２１０に相当してもよく、その他の構成要素は受信処理部２４１に相当してもよい。もちろん、その他の任意の対応関係も許容される。
【００８７】
（５）処理の流れ
続いて、図１６及び図１７を参照して、基地局１００及び端末装置２００の処理の流れの一例を説明する。
【００８８】
図１６は、本実施形態に係る基地局１００において実行される送信処理の流れの一例を示すフローチャートである。図１６に示すように、まず、基地局１００（例えば、送信処理部１５１）は、送信データを生成する（ステップＳ１０２）。具体的には、基地局１００は、ＦＥＣ符号化、レートマッチング、スクランブリング、インタリービング及び複素シンボルへのマッピング等を行う。次いで、基地局１００（例えば、バッファ制御部１５３）は、サイズＮのバッファに、Ｎ−Ｋ個の送信データ及びＫ個の所定値のデータをバッファリングする（ステップＳ１０４）。そして、基地局１００（例えば、送信処理部１５１）は、単位リソースの時間方向の端部のサブシンボル（例えば、時間方向の先頭のサブシンボル）にバッファから所定値のデータをマッピングする（ステップＳ１０６）。また、基地局１００（例えば、送信処理部１５１）は、当該単位リソースの他のサブシンボル（例えば、時間方向の先頭以外のサブシンボル）にバッファから送信データをマッピングする（ステップＳ１０８）。ここでの具体的なバッファの使用方法は、上記説明した第１の例が採用されてもよいし、第２の例が採用されてもよい。次いで、基地局１００（例えば、送信処理部１５１）は、ＧＦＤＭ変調を行って（ステップＳ１１０）、信号を送信する（ステップＳ１１２）。
【００８９】
図１７は、本実施形態に係る端末装置２００において実行される受信処理の流れの一例を示すフローチャートである。図１７に示すように、まず、端末装置２００（例えば、受信処理部２４１）は、信号を受信する（ステップＳ２０２）。次いで、端末装置２００（例えば、データ取得部２４３）は、単位リソースのうち所定値のデータがマッピングされた時間方向の端部のサブシンボル以外のサブシンボル（例えば、時間方向の先頭以外のサブシンボル）から受信データを取得する（ステップＳ２０４）。次に、端末装置２００（例えば、受信処理部２４１）は、取得された受信データに対し、等化、複素データからビット列への変換、デインタリービング、デスクランブリング、レートマッチング及びＦＥＣ復号化等の信号処理を行う。
【００９０】
＜＜５．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【００９１】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【００９２】
＜５．１．基地局に関する応用例＞
（第１の応用例）
図１８は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【００９３】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１８に示したように複数のアンテナ８１０を有し、複数のアンテナ８１０は、例えばｅＮＢ８００が使用する複数の周波数帯域にそれぞれ対応してもよい。なお、図１８にはｅＮＢ８００が複数のアンテナ８１０を有する例を示したが、ｅＮＢ８００は単一のアンテナ８１０を有してもよい。
【００９４】
基地局装置８２０は、コントローラ８２１、メモリ８２２、ネットワークインタフェース８２３及び無線通信インタフェース８２５を備える。
【００９５】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【００９６】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【００９７】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【００９８】
無線通信インタフェース８２５は、図１８に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１８に示したように複数のＲＦ回路８２７を含み、複数のＲＦ回路８２７は、例えば複数のアンテナ素子にそれぞれ対応してもよい。なお、図１８には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【００９９】
図１８に示したｅＮＢ８００において、図７を参照して説明した処理部１５０に含まれる１つ以上の構成要素（送信処理部１５１及び／又はバッファ制御部１５３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１００】
また、図１８に示したｅＮＢ８００において、図７を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０１０１】
（第２の応用例）
図１９は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１０２】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１９に示したように複数のアンテナ８４０を有し、複数のアンテナ８４０は、例えばｅＮＢ８３０が使用する複数の周波数帯域にそれぞれ対応してもよい。なお、図１９にはｅＮＢ８３０が複数のアンテナ８４０を有する例を示したが、ｅＮＢ８３０は単一のアンテナ８４０を有してもよい。
【０１０３】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１８を参照して説明したコントローラ８２１、メモリ８２２及びネットワークインタフェース８２３と同様のものである。
【０１０４】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１８を参照して説明したＢＢプロセッサ８２６と同様のものである。無線通信インタフェース８５５は、図１９に示したように複数のＢＢプロセッサ８５６を含み、複数のＢＢプロセッサ８５６は、例えばｅＮＢ８３０が使用する複数の周波数帯域にそれぞれ対応してもよい。なお、図１９には無線通信インタフェース８５５が複数のＢＢプロセッサ８５６を含む例を示したが、無線通信インタフェース８５５は単一のＢＢプロセッサ８５６を含んでもよい。
【０１０５】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１０６】
また、ＲＲＨ８６０は、接続インタフェース８６１及び無線通信インタフェース８６３を備える。
【０１０７】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１０８】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１９に示したように複数のＲＦ回路８６４を含み、複数のＲＦ回路８６４は、例えば複数のアンテナ素子にそれぞれ対応してもよい。なお、図１９には無線通信インタフェース８６３が複数のＲＦ回路８６４を含む例を示したが、無線通信インタフェース８６３は単一のＲＦ回路８６４を含んでもよい。
【０１０９】
図１９に示したｅＮＢ８３０において、図７を参照して説明した処理部１５０に含まれる１つ以上の構成要素（送信処理部１５１及び／又はバッファ制御部１５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１１０】
また、図１９に示したｅＮＢ８３０において、例えば、図７を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０１１１】
＜５．２．端末装置に関する応用例＞
（第１の応用例）
図２０は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１１２】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１１３】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１１４】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２０に示したように複数のＢＢプロセッサ９１３及び複数のＲＦ回路９１４を含んでもよい。なお、図２０には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１１５】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１１６】
アンテナスイッチ９１５の各々は、無線通信インタフェース９１２に含まれる複数の回路（例えば、異なる無線通信方式のための回路）の間でアンテナ９１６の接続先を切り替える。
【０１１７】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２０に示したように複数のアンテナ９１６を有してもよい。なお、図２０にはスマートフォン９００が複数のアンテナ９１６を有する例を示したが、スマートフォン９００は単一のアンテナ９１６を有してもよい。
【０１１８】
さらに、スマートフォン９００は、無線通信方式ごとにアンテナ９１６を備えてもよい。その場合に、アンテナスイッチ９１５は、スマートフォン９００の構成から省略されてもよい。
【０１１９】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２０に示したスマートフォン９００の各ブロックへ電力を供給する。補助コントローラ９１９は、例えば、スリープモードにおいて、スマートフォン９００の必要最低限の機能を動作させる。
【０１２０】
図２０に示したスマートフォン９００において、図８を参照して説明した処理部２４０に含まれる１つ以上の構成要素（受信処理部２４１及び／又はデータ取得部２４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１２１】
また、図２０に示したスマートフォン９００において、例えば、図８を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０１２２】
（第２の応用例）
図２１は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１２３】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１２４】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１２５】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１２６】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２１に示したように複数のＢＢプロセッサ９３４及び複数のＲＦ回路９３５を含んでもよい。なお、図２１には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１２７】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１２８】
アンテナスイッチ９３６の各々は、無線通信インタフェース９３３に含まれる複数の回路（例えば、異なる無線通信方式のための回路）の間でアンテナ９３７の接続先を切り替える。
【０１２９】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２１に示したように複数のアンテナ９３７を有してもよい。なお、図２１にはカーナビゲーション装置９２０が複数のアンテナ９３７を有する例を示したが、カーナビゲーション装置９２０は単一のアンテナ９３７を有してもよい。
【０１３０】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１３１】
バッテリー９３８は、図中に破線で部分的に示した給電ラインを介して、図２１に示したカーナビゲーション装置９２０の各ブロックへ電力を供給する。また、バッテリー９３８は、車両側から給電される電力を蓄積する。
【０１３２】
図２１に示したカーナビゲーション装置９２０において、図８を参照して説明した処理部２４０に含まれる１つ以上の構成要素（受信処理部２４１及び／又はデータ取得部２４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１３３】
また、図２１に示したカーナビゲーション装置９２０において、例えば、図８を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０１３４】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、処理部２４０を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０１３５】
＜＜６．まとめ＞＞
以上、図１〜図２１を参照して、本開示の一実施形態について詳細に説明した。上記説明したように、基地局１００は、ひとつ以上のサブキャリア及び複数のサブシンボルから成る単位リソースにおける時間方向の端部のサブシンボルにマッピングされた所定値のデータ、及び当該単位リソースにおける他のサブシンボルにマッピングされた送信データを対象に、ＧＦＤＭ変調を行う。これにより、ＧＦＤＭシンボル間の振幅の非連続性を抑制することが可能となり、これに伴いシンボル間の振幅の非連続性に起因する帯域外の周波数歪成分が抑制可能となる。また、基地局１００は、ＣＰ及びＣＳの付加を省略することも可能となり、これに伴い所定値のデータのマッピングを行うことに起因する周波数利用効率の低下を緩和することが可能である。
【０１３６】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１３７】
例えば、上記実施形態では、基地局１００が送信装置であり端末装置２００が受信装置である例を説明したが、本技術はかかる例に限定されない。例えば、端末装置２００が送信装置で、基地局１００が受信装置であってもよい。その場合、処理部２４０が送信処理部１５１及びバッファ制御部１５３としての機能を有し、処理部１５０が受信処理部２４１及びデータ取得部２４３としての機能を有することとなる。他にもＤ２Ｄ（Device  to  Device）通信を考慮すれば、送信装置及び受信装置が共に端末装置２００であってもよい。
【０１３８】
また、本明細書においてフローチャートを用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。図１１、図１４及び図１５に示した信号処理の各種ブロックの順序に関しても同様である。
【０１３９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１４０】
なお、以下のような構成も本開示の技術的範囲に属する。
（１）
ひとつ以上のサブキャリア及び複数のサブシンボルから成る単位リソースにおける時間方向の端部のサブシンボルにマッピングされた所定値のデータ、及び前記単位リソースにおける他のサブシンボルにマッピングされた送信データを対象に、所定の数のサブキャリアごとにフィルタリングを行う処理部、
を備える装置。
（２）
前記端部のサブシンボルは、前記単位リソースの時間方向の両端のサブシンボルである、前記（１）に記載の装置。
（３）
前記処理部は、前記単位リソースにマッピングされる前記所定値のデータのデータ長及び前記送信データのデータ長を制御する、前記（１）又は（２）に記載の装置。
（４）
前記処理部は、前記所定値のデータのデータ長を、前記単位リソースのサブキャリア数と等しい長さに設定する、前記（３）に記載の装置。
（５）
前記処理部は、前記送信データに前記所定値のデータを挿入して、前記単位リソースにマッピングする、前記（１）〜（４）のいずれか一項に記載の装置。
（６）
前記処理部は、前記単位リソースに対応するデータ長のバッファを前記所定値で初期化後に前記送信データを配置し、前記バッファから前記単位リソースにマッピングする、前記（１）〜（４）のいずれか一項に記載の装置。
（７）
前記所定値は、ゼロである、前記（１）〜（６）のいずれか一項に記載の装置。
（８）
前記フィルタリングには、ＲＣ（Raised  Cosine）フィルタ、ＲＲＣ（Root  Raised  Cosine）フィルタ、又はＩＯＴＡ（Isotropic  Orthogonal  Transfer  Algorithm）フィルタが用いられる、前記（１）〜（７）のいずれか一項に記載の装置。
（９）
前記フィルタリングは、一般化されたＯＦＤＭ（Orthogonal  Frequency  Division  Multiplexing）のための処理である、前記（１）〜（８）のいずれか一項に記載の装置。
（１０）
所定の数のサブキャリアごとにフィルタリングされた信号における、ひとつ以上のサブキャリア及び複数のサブシンボルから成る単位リソースにおける時間方向の端部のサブシンボルにマッピングされた所定値のデータ、及び前記単位リソースにおける他のサブシンボルにマッピングされた送信データから前記送信データを取得する処理部、
を備える装置。
（１１）
ひとつ以上のサブキャリア及び複数のサブシンボルから成る単位リソースにおける時間方向の端部のサブシンボルにマッピングされた所定値のデータ、及び前記単位リソースにおける他のサブシンボルにマッピングされた送信データを対象に、所定の数のサブキャリアごとにプロセッサによりフィルタリングを行うこと、
を含む方法。
（１２）
コンピュータを、
ひとつ以上のサブキャリア及び複数のサブシンボルから成る単位リソースにおける時間方向の端部のサブシンボルにマッピングされた所定値のデータ、及び前記単位リソースにおける他のサブシンボルにマッピングされた送信データを対象に、所定の数のサブキャリアごとにフィルタリングを行う処理部、
として機能させるためのプログラム。
【符号の説明】
【０１４１】
１    システム１
１００    基地局
１１０    アンテナ部
１２０    無線通信部
１３０    ネットワーク通信部
１４０    記憶部
１５０    処理部
１５１    送信処理部
１５３    バッファ制御部
２００    端末装置
２１０    アンテナ部
２２０    無線通信部
２３０    記憶部
２４０    処理部
２４１    受信処理部
２４３    データ取得部
【図１】
2017085971.tif 000007
【図２】
2017085971.tif 000008
【図３】
2017085971.tif 000009
【図４】
2017085971.tif 000010
【図５】
2017085971.tif 000011
【図６】
2017085971.tif 000012
【図７】
2017085971.tif 000013
【図８】
2017085971.tif 000014
【図９】
2017085971.tif 000015
【図１０】
2017085971.tif 000016
【図１１】
2017085971.tif 000017
【図１２】
2017085971.tif 000018
【図１３】
2017085971.tif 000019
【図１４】
2017085971.tif 000020
【図１５】
2017085971.tif 000021
【図１６】
2017085971.tif 000022
【図１７】
2017085971.tif 000023
【図１８】
2017085971.tif 000024
【図１９】
2017085971.tif 000025
【図２０】
2017085971.tif 000026
【図２１】
2017085971.tif 000027
【国際調査報告】
2017085971.tif 000028
2017085971.tif 000029
2017085971.tif 000030
2017085971.tif 000031